(57)【特許請求の範囲】
【請求項１】
過酸化物  1〜10重量％
脂肪アルコールエーテルスルフェート  1〜2.5重量％
式（II）：
Ｒ2-Ｏ-（ＣＨ2ＣＨ2Ｏ）mＨ  （II）
（式中、
Ｒ2は、12〜14個の炭素原子を有する直鎖または分枝のアルキルおよび／またはアルケニル基、および
ｍは、平均して2である。）
で表される狭い範囲の脂肪アルコールポリグリコールエーテル  0.7〜1.0重量％
および
電解質  1〜2.5重量％
を含有する水性漂白組成物。
【請求項２】
過酸化物として、過酸化水素を含有する請求項1記載の組成物。
【請求項３】
式（Ｉ）：
Ｒ1Ｏ-（ＣＨ2ＣＨ2Ｏ）mＳＯ3Ｘ  （Ｉ）
（式中、
Ｒ1は、6〜22個の炭素原子を含有する直鎖または分枝のアルキルおよび／またはアルケニル基、
ｍは、1〜10の数、および
Ｘは、アルカリ金属および／またはアルカリ土類金属、アンモニウム、アルキルアンモニウム、アルカノールアンモニウムあるいはグルカンモニウムである。）
で表される脂肪アルコールエーテルスルフェートを含有する請求項1または2記載の組成物。
【請求項４】
前記塩（電解質）として塩化ナトリウムおよび／または塩化マグネシウムを含有する請求項1〜3のいずれかに記載の組成物。
【発明の詳細な説明】
発明の分野
本発明は、過酸化物、脂肪アルコールエーテルスルフェート、狭い範囲の脂肪アルコールポリグリコールエーテルおよび電解質を含有する水性漂白組成物に関する。
先行技術
過去において、注目すべき粘度を示し、それ故に水平な表面の処理および傾斜している（特に垂直な）表面の処理の両者に適した過酸化水素系漂白組成物が、衛生および消毒分野において首尾よく使用されてきた。この漂白組成物の粘度の効果は、漂白組成物と処理すべき表面との接触時間が、表面から急速に流れ落ちる市販の液体製品の場合よりもかなり長いことである。
それ故に、この種の粘稠な漂白組成物を提供しようとする試みがなくはなかった。例えばスペイン特許出願第８８／１３８９号［ヘンケル・イベリカ(Henkel Iberica)］には、脂肪アルコールエーテルスルフェートを添加して増粘される次亜塩素酸アルカリ金属をベースとする水性の漂白および消毒組成物が提案されている。しかしながら、エーテルスルフェートは、過酸化水素含有漂白組成物の粘度を調節するのに、単独では不向きである。それは、低温で曇りを生じ、かつ十分な貯蔵安定性がない、非常に低い粘度の製品を与える。
したがって、本発明の解決すべき課題は、少なくとも１００ｍＰａ・ｓの有利な粘度、少なくとも２０℃の曇り点および高い貯蔵安定性を有する、過酸化物を含有する新しい漂白組成物を提供することであった。
発明の説明
本発明は、
過酸化物  １〜１０重量％
脂肪アルコールエーテルスルフェート  １〜２．５重量％
下記式（ＩＩ）で示される狭い範囲のの脂肪アルコールポリグリコールエーテル  ０．７〜１．０重量％
および
電解質  １〜２．５重量％
を含有する水性漂白組成物に関する。
驚くべきことに、脂肪アルコールエーテルスルフェートと、脂肪アルコールポリグリコールエーテルと、電解質（塩）とを、選択した用量比で添加すると、得られる過酸化水素の水溶液が著しく増粘することが判明した。得られる生成物は、粘度および過酸化物含量の両方に関し、著しく貯蔵安定性が高く、かつ少なくとも２０℃の曇り点を有することができる。
過酸化物
本発明において、過酸化物とは、Ｏ−Ｏ基を含む物質であると解される。典型的な例は、ペルオキシホウ酸塩、ペルオキシ炭酸塩、ペルオキシカルボン酸、特に過酸化水素である。好ましい態様において、本発明の水性漂白組成物は、活性物質を１００％として、過酸化水素を１〜１０重量％、好ましくは５〜８重量％、特に６〜７重量％の量で含有する。例えば３５重量％水溶液の形態で、過酸化物を使用する。
脂肪アルコールエーテルスルフェート
脂肪アルコールエーテルスルフェート（「エーテルスルフェート」）は、ＳＯ3またはＣＳＡで脂肪アルコールポリグリコールエーテルを硫酸化した後、中和することにより、工業的に製造される既知のアニオン界面活性剤である。
本発明によれば、適するエーテルスルフェートは、式（Ｉ）：
Ｒ1Ｏ-（ＣＨ2ＣＨ2Ｏ）mＳＯ3Ｘ  （Ｉ）
（式中、Ｒ1は、６〜２２個の炭素原子を含有する直鎖または分枝のアルキルおよび／またはアルケニル基であり、ｍは１〜１０の数およびＸはアルカリ金属および／またはアルカリ土類金属、アンモニウム、アルキルアンモニウム、アルカノールアンモニウムあるいはグルカンモニウムである。）
で表される。
典型的な例は、カプロンアルコール、カプリルアルコール、２-エチルヘキシルアルコール、カプリンアルコール、ラウリルアルコール、イソトリデシルアルコール、ミリスチルアルコール、セチルアルコール、パルミトレイルアルコール、ステアリルアルコール、イソステアリルアルコール、オレイルアルコール、エライジルアルコール、ペトロセリニルアルコール、アラキルアルコール、ガドレイルアルコール、ベヘニルアルコールおよびエルシルアルコール並びにこれらの工業用混合物への平均して１〜１０モル、好ましくは２〜５モルのエチレンオキサイド付加物の、ナトリウムおよび／またはマグネシウム塩の形態でのスルフェートである。エーテルスルフェートは、通常の同族体分布でも狭い同族体分布でもよい。
工業用Ｃ12/14またはＣ12/18ヤシ油脂肪アルコール留分への平均して２〜３モルのエチレンオキサイド付加物をベースとするナトリウムおよび／またはマグネシウム塩の形態でのエーテルスルフェートを使用するのが特に好ましい。
ＮＲＥ脂肪アルコールポリグリコールエーテル
狭い範囲のエトキシレート（ＮＲＥ）としても知られている狭い同族体分布の脂肪アルコールポリグリコールエーテルは、例えば適する触媒（焼成したまたは脂肪酸で疎水化した層状化合物）の存在下において脂肪アルコールにエチレンオキサイドを付加することによって工業的に製造される既知の非イオン界面活性剤である。この主題についての総説は、例えば、エム・コックス(M.Cox)著、ジャーナル・オブ・アメリカン・オイル・ケミカル・ソサイエティ(J.Am.Oil.Chem.Soc.)、６７、５９９頁（１９９０年）およびハー・ヘンセン(H.Hensen)ら著、ザイフェン-エーレ-フェッテ-ヴァクセ
0004307547.tif 000002
１１７、５９２頁（１９９１年）に表されている。
本発明によれば、適するエーテルは、式（II）：
Ｒ2-Ｏ-（ＣＨ2ＣＨ2Ｏ）mＨ  （II）
（式中、Ｒ2は、１２〜１４個の炭素原子を有する直鎖または分枝のアルキルおよび／またはアルケニル基であり、およびｍは平均して２の数である。）
で表される。
典型的な例は、カプロンアルコール、カプリルアルコール、２-エチルヘキシルアルコール、カプリンアルコール、ラウリルアルコール、イソトリデシルアルコール、ミリスチルアルコール、セチルアルコール、パルミトレイルアルコール、ステアリルアルコール、イソステアリルアルコール、オレイルアルコール、エライジルアルコール、ペトロセリニルアルコール、アラキルアルコール、ガドレイルアルコール、ベヘニルアルコールおよびエルシルアルコール、並びに、例えば油脂系工業用メチルエステルまたはレーレン(Reolen’s)オキソ合成からのアルデヒドの加圧水素添加において得られるそれらの工業用混合物への平均して１〜１０モル、特に２〜５モルのエチレンオキサイドの、狭い範囲の狭い同族体分布の付加物である。
例えばヤシ油、パーム油、パーム核油または牛脂肪アルコールのような工業用Ｃ12-18脂肪アルコールへの平均して２〜５モルのエチレンオキサイドの狭い範囲の付加物が好ましい。例えば髪用シャンプーのような化粧用製品のための増粘剤としてそのような物質を使用することが、ドイツ特許出願公開第３８１７４１５号［ヘンケル(Henkel)］から知られている。それは、好ましくは０．７〜１．０重量％の濃度で使用される。
電解質
適する電解質（塩）は、原則として、界面活性剤水溶液の粘度を調節する助剤として周知の鉱酸のアルカリ金属またはアルカリ土類金属塩およびそれらの混合物である。典型的な例は、塩化ナトリウムおよび／または塩化マグネシウムである。
助剤および添加物
例えば、適する助剤および添加物は、例えばアルキルスルフェート、アルキルスルホネート、アルキルベンゼンスルホネート、キシレンスルホネート、サルコシネート、タウリド、イセチオネート、スルホスクシネート、エーテルカルボン酸、ベタイン、糖エステル、アミンオキサイドおよびアルキルオリゴグリコシドのような他の過酸化物安定性の界面活性剤およびヒドロトロピック剤（ハイドロトロープ）である。これらの付加的な界面活性剤の合計は、好ましくは組成物中の界面活性剤の総量の多くて１０重量％までである。
さらに、漂白組成物は、エタノールまたはイソプロピルアルコールのような低級アルコール、過酸化物安定性香料、蛍光増白剤、酸化防止剤、捕獲剤、染料および顔料を、漂白組成物基準で０．０１〜０．５重量％の総量で含有してよい。既知の過酸化物安定性香料としては、例えば単環式および二環式モノテルペンアルコール並びにそれらと酢酸またはプロピオン酸とのエステル（例えばイソボルネオール、ジヒドロテルペノール、酢酸イソボルニル、酢酸ジヒドロテルペニル）が挙げられる。蛍光増白剤は、例えば、フォルヴィテ(Phorwite、登録商標)BHC766およびチノパル(Tinopal)CBS-X［チバ(Ciba)］として市販されている、４，４’-ビス-(１，２，３-トリアゾリル)-(２-)-スチルベン-２，２-スルホン酸のカリウム塩であってよい。適する酸化防止剤の例は、ジtert.-ブチルヒドロキシトルエン（ＢＨＴ）、ジtert.-ブチルヒドロキシアニソール（ＢＨＡ）、トコフェロール（ビタミンＥ）、アスコルビン酸およびアスコルビン酸パルミテート（場合によりクエン酸との混合物）である。適する捕獲剤は、ホスホン酸またはホスホン酸アミンオキサイドである。最後に、適する着色用顔料は、特に緑色のクロロフタロシアニン［ピグモゾール(Pigmosol、登録商標)グリーン、ホシュタフィネ(Hostaphine、登録商標)グリーン］、黄色のゾーラー(Solar)イエローBG300［サンドッツ(Sandoz)］または赤色のロヨ・バサゾール(Rojo Basazol、登録商標)である。
本発明の漂白組成物は、撹拌して製造される。得られた製品は、場合によりデカントするかまたは濾過して、不純物の粒子および／または凝集物を除去してよい。
産業上の利用
本発明の漂白組成物は、室温で透明であり、垂直な表面へ適用するのに十分に濃く、かつ、長期間高温で貯蔵されるときでも、その粘度および過酸化物含量に関して安定である。例えば、それは、例えば衛生分野での硬質表面の清浄および消毒用に適している。本発明のある特別な実施態様では、ペースト状の漂白組成物を、汚れた織物の前処理のために、繊維に直接適用する。
本発明の典型的な漂白組成物は、以下の組成を有する（水で１００重量％とする）：
過酸化水素  ７重量％
Ｃ12/14脂肪アルコール２ＥＯ硫酸ナトリウム  ２重量％
Ｃ12/14脂肪アルコール２ＥＯ（ＮＲＥ）  ０．７重量％
塩化ナトリウム  ２重量％。
以下に本発明の実施例を示すが、本発明はこれらに限定されるものではない。
実施例
Ｉ．使用した物質
Ａ）２１重量％水溶液の形態での過酸化水素
Ｂ）Ｃ12/14ヤシ油脂肪アルコール２ＥＯエーテル硫酸ナトリウム
テキサポン(Texapon、登録商標)N、ヘンケル・コマンディットゲゼルシャフト・アウフ・アクチエン(Henkel KGaA)、デュッセルドルフ、ドイツ
Ｃ）狭い範囲のＣ12/14ヤシ油脂肪アルコール２ＥＯ付加物
アルリポン(Arlypon)F、ヘンケル・コマンディットゲゼルシャフト・アウフ・アクチエン、デュッセルドルフ、ドイツ
本発明の組成物Ｒ１〜Ｒ３および比較組成物Ｒ４〜Ｒ９の組成を、表１にまとめる。
いずれの組成物も、捕獲剤［セクイオン(Sequion、登録商標)]０．０５重量％、ＢＨＴ０．０１重量％、イソプロピルアルコール０．１重量％、香油０．２重量％、染料０．０００３５重量％および１００重量％とする量の水を含有する。
0004307547.tif 000003
II．性能試験
性能を評価するために、４週間および１２週間（４０℃）貯蔵した後の組成物のブルックフィールド粘度（２０℃、２０ｒ．ｐ．ｍ．、スピンドル１ないし２）、曇り点および過酸化物含量の低下を決定した。結果を表２にまとめる。
0004307547.tif 000004